(57)【要約】【課題】アース端子をコネクタの保持部材に容易に固定可能であり、且つ、コネクタ全体のサイズを小さくすると共に対象物からの突出量を抑制可能なコネクタを提供すること。【解決手段】コネクタ１０は、アース接続部７２を有する対象物７０に取り付けられた被取付状態において、相手側アース端子８４を有する相手側コネクタ８０と嵌合方向（Ｚ方向）に沿って嵌合可能である。コネクタ１０は、保持部材２０と、アース端子４０とを備えている。保持部材２０は、保持部３７を有しており、アース端子４０は、嵌合状態において相手側アース端子８４と接触する接触部４２と、被取付状態においてアース接続部７２に接続される接続部４８とを有している。接続部４８は、嵌合方向と直交する直交方向（Ｘ方向）において、接触部４２と異なる位置にある。接続部４８は、保持部３７に圧入されており、これにより、アース端子４０は、保持部材２０に保持されている。【選択図】図４
2020113510.tif 000002
【特許請求の範囲】
【請求項１】
アース接続部を有する対象物に取り付けられた被取付状態において、相手側アース端子を有する相手側コネクタと嵌合方向に沿って嵌合可能なコネクタであって、
前記コネクタは、保持部材と、アース端子とを備えており、
前記保持部材は、保持部を有しており、
前記アース端子は、接触部と、被保持部とを有しており、
前記接触部は、前記コネクタと前記相手側コネクタとが互いに嵌合した嵌合状態において、前記相手側アース端子と接触し、
前記被保持部は、接続部と、圧入突起とを有しており、
前記接続部は、前記嵌合方向と直交する直交方向において、前記接触部と異なる位置にあり、
前記接続部は、前記被取付状態において、前記アース接続部に接続され、
前記圧入突起は、前記接続部から突出して前記保持部に押し付けられており、これにより、前記被保持部は、前記保持部に保持されている
コネクタ。
【請求項２】
請求項１記載のコネクタであって、
前記アース端子は、曲げ部を有しており、
前記接触部は、前記曲げ部から前記嵌合方向に沿って延びており、
前記被保持部は、前記曲げ部から前記直交方向に沿って延びている
コネクタ。
【請求項３】
請求項２記載のコネクタであって、
前記曲げ部は、前記嵌合方向及び前記直交方向によって規定される直交平面において曲がっており、
前記直交平面における前記曲げ部の内側は、部分的に切り欠かれている
コネクタ。
【請求項４】
請求項１から請求項３までのいずれかに記載のコネクタであって、
前記接続部には、２つの凹部が形成されており、
２つの前記凹部は、前記嵌合方向における前記接続部の両側から、前記嵌合方向において互いに向かって夫々凹んでおり、前記嵌合方向において前記圧入突起を挟んでいる
コネクタ。
【請求項５】
請求項１から請求項４までのいずれかに記載のコネクタであって、
前記コネクタは、前記アース端子と異なる複数の付加的端子を備えており、
前記アース端子及び前記付加的端子は、前記嵌合方向及び前記直交方向の双方と直交するピッチ方向に並んでおり、
前記付加的端子の夫々は、付加的接触部と、付加的圧入部とを有しており、
前記付加的端子の夫々において、前記付加的接触部及び前記付加的圧入部は、前記嵌合方向に並んでおり、
前記保持部材は、板状部を有しており、
前記板状部には、通過孔と、開口部と、前記付加的端子に夫々対応する複数の付加的通過孔とが形成されており、
前記通過孔は、前記板状部を前記嵌合方向に貫通しており、
前記開口部は、前記嵌合方向における両方向に開口した空間であり、前記直交方向において前記通過孔と異なる位置にあり、
前記接触部は、前記通過孔を通過しており、
前記接続部は、前記開口部に受容されており、
前記付加的通過孔の夫々は、前記板状部を前記嵌合方向に貫通しており、
前記付加的圧入部の夫々は、対応する前記付加的通過孔に圧入されている
コネクタ。
【請求項６】
請求項５記載のコネクタであって、
前記付加的圧入部の夫々は、付加的圧入突起を有しており、
前記付加的圧入突起の夫々は、前記直交方向に突出して対応する前記付加的通過孔の内壁に押し付けられており、
前記被保持部の前記圧入突起は、前記ピッチ方向に突出して前記開口部の内壁に押し付けられている
コネクタ。
【請求項７】
請求項５又は請求項６記載のコネクタであって、
前記被保持部は、２つの前記圧入突起を有しており、
２つの前記圧入突起は、前記ピッチ方向における両方向に夫々突出しており、
２つの前記圧入突起の前記ピッチ方向における先端の間の距離寸法は、前記ピッチ方向における前記接続部のサイズよりも大きい
コネクタ。
【請求項８】
請求項５から請求項７までのいずれかに記載のコネクタであって、
前記付加的端子の夫々は、延長部を有しており、
前記付加的端子の夫々において、前記付加的圧入部は、前記付加的接触部と前記延長部との間に位置しており、
前記延長部の夫々は、前記被取付状態において、前記対象物の内部に位置する
コネクタ。
【請求項９】
請求項１から請求項８までのいずれかに記載のコネクタであって、
前記対象物の前記アース接続部には、アース接続孔が形成されており、
前記接続部には、接続孔が形成されており、
前記接続孔は、前記接続部を前記嵌合方向に貫通しており、
前記被取付状態において、前記接続部は、前記接続孔を通過させて前記アース接続孔に挿入したねじによって、前記アース接続部に接続され固定される
コネクタ。
【発明の詳細な説明】
【技術分野】
【０００１】
本発明は、筐体等の対象物に接続されると共に相手側コネクタの相手側アース端子と接触するアース端子を備えたコネクタに関する。
【背景技術】
【０００２】
このタイプのコネクタは、例えば、特許文献１に開示されている。
【０００３】
図１４を参照すると、特許文献１の第３の実施例の電源端子装置（コネクタ）９０は、電子機器（図示せず）の金属ケース（対象物）９８に取り付けられた被取付状態において、交流電源（図示せず）に接続された電源コネクタ（相手側コネクタ：図示せず）と嵌合可能である。コネクタ９０は、アース用端子（アース端子）９２を備えている。アース端子９２は、被取付状態において、ネジ９４によって対象物９８に接続され固定される。また、アース端子９２は、コネクタ９０と相手側コネクタとが互いに嵌合した嵌合状態において、相手側コネクタの相手側アース端子（図示せず）に接続される。
【先行技術文献】
【特許文献】
【０００４】
【特許文献１】特開平６−２０３８９０号公報
【発明の概要】
【発明が解決しようとする課題】
【０００５】
特許文献１のようなコネクタについては、コネクタ全体のサイズを小さくすると共に対象物からの突出量を抑制したいという要望がある。加えて、コネクタを対象物に取付けるまで、アース端子をコネクタの保持部材に容易に固定しておきたいという要望がある。
【０００６】
そこで、本発明は、アース端子をコネクタの保持部材に容易に固定可能であり、且つ、コネクタ全体のサイズを小さくすると共に対象物からの突出量を抑制可能なコネクタを提供することを目的とする。
【課題を解決するための手段】
【０００７】
本発明は、アース端子をコネクタの保持部材に圧入することによって保持部材に容易に固定可能なコネクタを提供する。また、本発明は、アース端子の圧入による保持部材への固定を前提として、対象物の内部におけるコネクタの占有空間を減らしつつ、コネクタの対象物からの突出量を抑制可能なコネクタを提供する。より具体的には、本発明は、下記のコネクタを提供する。
【０００８】
本発明は、第１のコネクタとして、
アース接続部を有する対象物に取り付けられた被取付状態において、相手側アース端子を有する相手側コネクタと嵌合方向に沿って嵌合可能なコネクタであって、
前記コネクタは、保持部材と、アース端子とを備えており、
前記保持部材は、保持部を有しており、
前記アース端子は、接触部と、被保持部とを有しており、
前記接触部は、前記コネクタと前記相手側コネクタとが互いに嵌合した嵌合状態において、前記相手側アース端子と接触し、
前記被保持部は、接続部と、圧入突起とを有しており、
前記接続部は、前記嵌合方向と直交する直交方向において、前記接触部と異なる位置にあり、
前記接続部は、前記被取付状態において、前記アース接続部に接続され、
前記圧入突起は、前記接続部から突出して前記保持部に押し付けられており、これにより、前記被保持部は、前記保持部に保持されている
コネクタを提供する。
【０００９】
また、本発明は、第２のコネクタとして、第１のコネクタであって、
前記アース端子は、曲げ部を有しており、
前記接触部は、前記曲げ部から前記嵌合方向に沿って延びており、
前記被保持部は、前記曲げ部から前記直交方向に沿って延びている
コネクタを提供する。
【００１０】
また、本発明は、第３のコネクタとして、第１又は第２のコネクタであって、
前記曲げ部は、前記嵌合方向及び前記直交方向によって規定される直交平面において曲がっており、
前記直交平面における前記曲げ部の内側は、部分的に切り欠かれている
コネクタを提供する。
【００１１】
また、本発明は、第４のコネクタとして、第１から第３までのいずれかのコネクタであって、
前記接続部には、２つの凹部が形成されており、
２つの前記凹部は、前記嵌合方向における前記接続部の両側から、前記嵌合方向において互いに向かって夫々凹んでおり、前記嵌合方向において前記圧入突起を挟んでいる
コネクタを提供する。
【００１２】
また、本発明は、第５のコネクタとして、第１から第４までのいずれかのコネクタであって、
前記コネクタは、前記アース端子と異なる複数の付加的端子を備えており、
前記アース端子及び前記付加的端子は、前記嵌合方向及び前記直交方向の双方と直交するピッチ方向に並んでおり、
前記付加的端子の夫々は、付加的接触部と、付加的圧入部とを有しており、
前記付加的端子の夫々において、前記付加的接触部及び前記付加的圧入部は、前記嵌合方向に並んでおり、
前記保持部材は、板状部を有しており、
前記板状部には、通過孔と、開口部と、前記付加的端子に夫々対応する複数の付加的通過孔とが形成されており、
前記通過孔は、前記板状部を前記嵌合方向に貫通しており、
前記開口部は、前記嵌合方向における両方向に開口した空間であり、前記直交方向において前記通過孔と異なる位置にあり、
前記接触部は、前記通過孔を通過しており、
前記接続部は、前記開口部に受容されており、
前記付加的通過孔の夫々は、前記板状部を前記嵌合方向に貫通しており、
前記付加的圧入部の夫々は、対応する前記付加的通過孔に圧入されている
コネクタを提供する。
【００１３】
また、本発明は、第６のコネクタとして、第５のコネクタであって、
前記付加的圧入部の夫々は、付加的圧入突起を有しており、
前記付加的圧入突起の夫々は、前記直交方向に突出して対応する前記付加的通過孔の内壁に押し付けられており、
前記被保持部の前記圧入突起は、前記ピッチ方向に突出して前記開口部の内壁に押し付けられている
コネクタを提供する。
【００１４】
また、本発明は、第７のコネクタとして、第５又は第６のコネクタであって、
前記被保持部は、２つの前記圧入突起を有しており、
２つの前記圧入突起は、前記ピッチ方向における両方向に夫々突出しており、
２つの前記圧入突起の前記ピッチ方向における先端の間の距離寸法は、前記ピッチ方向における前記接続部のサイズよりも大きい
コネクタを提供する。
【００１５】
また、本発明は、第８のコネクタとして、第５から第７までのいずれかのコネクタであって、
前記付加的端子の夫々は、延長部を有しており、
前記付加的端子の夫々において、前記付加的圧入部は、前記付加的接触部と前記延長部との間に位置しており、
前記延長部の夫々は、前記被取付状態において、前記対象物の内部に位置する
コネクタを提供する。
【００１６】
また、本発明は、第９のコネクタとして、第１から第８までのいずれかのコネクタであって、
前記対象物の前記アース接続部には、アース接続孔が形成されており、
前記接続部には、接続孔が形成されており、
前記接続孔は、前記接続部を前記嵌合方向に貫通しており、
前記被取付状態において、前記接続部は、前記接続孔を通過させて前記アース接続孔に挿入したねじによって、前記アース接続部に接続され固定される
コネクタを提供する。
【発明の効果】
【００１７】
本発明のアース端子は、圧入突起が設けられた被保持部を有しており、被保持部を保持部材の保持部に圧入することにより、保持部材に容易に固定できる。また、本発明によれば、圧入突起は、被保持部の接続部から突出しており、接続部は、直交方向において接触部と異なる位置にある。この構造によれば、被保持部を嵌合方向に長く延ばす必要がなく、これにより、保持部の嵌合方向におけるサイズを小さくできる。この結果、対象物の内部におけるコネクタの占有空間を減らしつつ、コネクタの対象物からの突出量を抑制できる。即ち、本発明によれば、アース端子をコネクタの保持部材に容易に固定可能であり、且つ、コネクタ全体のサイズを小さくすると共に対象物からの突出量を抑制可能なコネクタを提供できる。
【図面の簡単な説明】
【００１８】
【図１】本発明の実施の形態によるコネクタを対象物と共に示す斜視図である。コネクタは、対象物に取り付けられた被取付状態にある。
【図２】図１のコネクタ及び対象物を示す正面図である。付加的端子の隠れた輪郭を破線で描画している。相手側コネクタの一部の輪郭を１点鎖線で模式的に描画している。対象物の内部に配置された回路基板の輪郭を２点鎖線で模式的に描画している。
【図３】図１のコネクタ及び対象物を示す上面図である。
【図４】図３のコネクタ及び対象物をＩＶ−ＩＶ線に沿って示す断面図である。コネクタの一部（破線で囲んだ部分）を拡大して描画している。嵌合状態における相手側コネクタの一部の輪郭を１点鎖線で模式的に描画している。
【図５】図３のコネクタ及び対象物をＶ−Ｖ線に沿って示す断面図である。コネクタの一部（１点鎖線で囲んだ部分）を拡大して描画している。拡大図においてアース端子の圧入突起の輪郭を破線で描画している。
【図６】図１のコネクタ及び対象物をねじと共に示す斜視図である。コネクタは、対象物から離れている。
【図７】図６のコネクタを示す斜視図である。アース端子の隠れた輪郭を破線で描画している。
【図８】図６のコネクタの保持部材を示す斜視図である。
【図９】図８の保持部材を示す上面図である。アース端子の接続部の輪郭を破線で描画している。保持部材の通過孔及び付加的通過孔のうちの１つを拡大して描画している。拡大図においてアース端子の接触部の輪郭及び付加的端子の付加的圧入部の輪郭を破線で描画している。
【図１０】図８の保持部材を示す底面図である。アース端子の被保持部の輪郭及び付加的端子の延長部の輪郭を破線で描画している。
【図１１】図６のコネクタのアース端子及び付加的端子を示す斜視図である。アース端子の接触部と曲げ部との間の境界部の位置を破線で描画している。
【図１２】図１１のアース端子を示す斜視図である。境界部の位置を破線で描画している。
【図１３】図１１のアース端子を示す上面図である。
【図１４】特許文献１のコネクタを示す側面図である。
【発明を実施するための形態】
【００１９】
図１から図３までを参照すると、本発明の実施の形態によるコネクタ１０は、対象物７０に取り付けて使用される。本実施の形態における対象物７０は、所定機器（図示せず）の金属製の筐体である。図２を参照すると、コネクタ１０は、対象物７０に取り付けられた被取付状態において、相手側コネクタ８０と嵌合方向（上下方向：Ｚ方向）に沿って嵌合可能である。
【００２０】
本実施の形態において、相手側コネクタ８０は、電源（図示せず）に接続されており、コネクタ１０と相手側コネクタ８０とが互いに嵌合した嵌合状態において、コネクタ１０を介して所定機器（図示せず）に電力を供給する。即ち、本実施の形態のコネクタ１０は、電力供給用のコネクタである。但し、本発明は、これに限られず、様々な用途のコネクタに適用可能である。また、コネクタ１０が取り付けられる対象物７０は、特に限定されない。
【００２１】
図１から図３までを参照すると、対象物７０は、コネクタ１０を接地するためのアース接続部７２を有している。本実施の形態による対象物７０のアース接続部７２は、上下方向（Ｚ方向）と直交する水平面（ＸＹ平面）に沿って延びており、コネクタ１０が取り付けられる取付面７２Ｕを有している。本実施の形態における取付面７２Ｕは、アース接続部７２の上面（＋Ｚ側の面）であり、ＸＹ平面と平行な平面である。但し、本発明は、これに限られない。例えば、取付面７２Ｕは、Ｚ方向と斜交する平面であってもよいし、凹凸のある面であってもよい。
【００２２】
図２を参照すると、本実施の形態の相手側コネクタ８０は、絶縁体からなる相手側保持部材８２と、導電体からなる相手側アース端子８４と、導電体からなる３つの相手側付加的端子８６とを備えている。相手側保持部材８２は、相手側アース端子８４及び相手側付加的端子８６を保持している。相手側付加的端子８６は、電力を供給するための電源端子であり、相手側アース端子８４は、接地用のグランド端子である。但し、本発明は、これに限られず、相手側コネクタ８０が相手側アース端子８４を備えている限り、相手側コネクタ８０の構造及び機能は、特に限定されない。例えば、相手側付加的端子８６は、信号端子であってもよい。
【００２３】
図１から図３までを参照すると、本実施の形態のコネクタ１０は、絶縁体からなる保持部材２０と、導電体からなるアース端子４０と、導電体からなる３つの付加的端子５０とを備えている。保持部材２０は、アース端子４０及び付加的端子５０を保持している。図２を参照すると、付加的端子５０は、所定機器（図示せず）に電力を供給するための電源端子であり、相手側付加的端子８６に夫々対応している。アース端子４０は、接地用のグランド端子であり、相手側アース端子８４に対応している。
【００２４】
本実施の形態のコネクタ１０は、単一のアース端子４０に加えて、アース端子４０と異なる複数の付加的端子５０を備えている。特に、本実施の形態における付加的端子５０の数は３である。但し、本発明は、これに限定されず、コネクタ１０が保持部材２０とアース端子４０とを備えている限り、コネクタ１０の構造は様々に変形可能である。例えば、付加的端子５０の数は、特に限定されない。付加的端子５０は、信号端子であってもよい。また、コネクタ１０は、上述した部材に加えて、更に別の部材を備えていてもよい。
【００２５】
図６から図８までに示されるように、本実施の形態の保持部材２０は、板状部２２を有している。板状部２２は、被取付面２２Ｌと、反対面２２Ｕとを有している。被取付面２２Ｌ及び反対面２２Ｕは、Ｚ方向において互いに反対側に位置している。被取付面２２Ｌは、板状部２２の下面（−Ｚ側の面）であり、反対面２２Ｕは、板状部２２の上面である。
【００２６】
図６を参照すると、板状部２２は、コネクタ１０の使用時に、ねじ６０によって対象物７０の取付面７２Ｕに取り付けられる。この結果、コネクタ１０は、被取付状態になり、対象物７０の外側に位置する。被取付面２２Ｌは、被取付状態において、取付面７２Ｕと接触するか、又は、Ｚ方向において僅かな距離だけ離れて取付面７２Ｕと対向する。本実施の形態において、被取付面２２Ｌ及び反対面２２Ｕの夫々は、ＸＹ平面と平行に延びている。但し、本発明は、これに限定されない。例えば、取付面７２ＵがＺ方向と斜交する平面である場合、被取付面２２Ｌ及び反対面２２Ｕの夫々は、Ｚ方向と斜交する平面であってもよい。
【００２７】
図９及び図１０を参照すると、本実施の形態の板状部２２には、アース端子４０に対応する通過孔３２と、付加的端子５０に夫々対応する複数の付加的通過孔３８とが形成されている。通過孔３２及び付加的通過孔３８の夫々は、板状部２２をＺ方向に貫通している。通過孔３２及び付加的通過孔３８は、板状部２２のＸＹ平面における中間部に位置しており、上下方向（Ｚ方向）と直交するピッチ方向（Ｙ方向）に並んでいる。
【００２８】
アース端子４０は、Ｚ方向において被取付面２２Ｌから反対面２２Ｕに向かう所定方向（＋Ｚ方向）に沿って通過孔３２に挿入されており、通過孔３２を通過しつつ＋Ｚ方向に沿って延びている。付加的端子５０の夫々は、対応する付加的通過孔３８に＋Ｚ方向に沿って挿入されており、付加的通過孔３８を通過しつつ＋Ｚ方向に沿って延びている。上述したように、本実施の形態によれば、アース端子４０及び付加的端子５０は、板状部２２に形成された孔に夫々挿入されて、Ｙ方向に並べられている。但し、アース端子４０及び付加的端子５０の配置は、本実施の形態に限られず、様々に変形可能である。また、板状部２２の構造は、アース端子４０及び付加的端子５０の配置に応じて、様々に変形可能である。
【００２９】
図７及び図１０に示されるように、本実施の形態の保持部材２０は、被挿入部２４を有している。被挿入部２４は、ＸＹ平面において３つの付加的端子５０を囲むようにして、Ｚ方向において板状部２２の被取付面２２Ｌから突出している。図６を参照すると、対象物７０のアース接続部７２には、被挿入部２４に対応する挿入孔７４が形成されている。挿入孔７４は、アース接続部７２をＺ方向に貫通している。図２を図６と併せて参照すると、被挿入部２４は、被取付状態において、挿入孔７４に挿入されており、挿入孔７４を通過して部分的に対象物７０の内部に位置している。本実施の形態によれば、被挿入部２４を挿入孔７４に挿入することで、コネクタ１０を対象物７０に対して容易に位置決めできる。但し、本発明は、これに限られず、被挿入部２４は、必要に応じて設ければよい。
【００３０】
図６から図８までに示されるように、本実施の形態の保持部材２０は、外壁部２６を有している。外壁部２６は、ＸＹ平面においてアース端子４０及び付加的端子５０を囲むようにして、Ｚ方向において板状部２２の反対面２２Ｕから突出している。外壁部２６は、正面部２６Ｆと、裏面部２６Ｒとを有している。正面部２６Ｆ及び裏面部２６Ｒは、Ｙ方向（ピッチ方向）及びＺ方向（上下方向）の双方と直交する直交方向（前後方向：Ｘ方向）において互いに反対側に位置している。正面部２６Ｆは、部分的に切り欠かれており、これにより、開放部２６２が形成されている。Ｘ方向に沿って正面部２６Ｆを見たとき、開放部２６２を通してアース端子４０の一部を視認可能である。
【００３１】
図２及び図４を参照すると、コネクタ１０と相手側コネクタ８０とが互いに嵌合する際、外壁部２６は、相手側コネクタ８０をＸＹ平面において位置決めする。また、図６を参照すると、外壁部２６は、アース端子４０及び付加的端子５０を保護している。但し、本発明は、これに限られず、外壁部２６は、必要に応じて設ければよい。
【００３２】
図１１を参照すると、本実施の形態の付加的端子５０は、互いに同じ形状及びサイズを有している。詳しくは、付加的端子５０の夫々は、曲げを有する単一の金属部材であり、付加的接触部５２と、付加的圧入部５６と、延長部５８とを有している。付加的端子５０の夫々において、付加的接触部５２、付加的圧入部５６及び延長部５８は、Ｚ方向に並んでおり、付加的圧入部５６は、付加的接触部５２と延長部５８との間に位置している。付加的接触部５２及び延長部５８は、付加的圧入部５６からＺ方向において互いに反対側に延びている。付加的接触部５２は、Ｚ方向に沿って直線状に延びている。延長部５８は、クランク形状を有している。詳しくは、延長部５８は、付加的圧入部５６からＸ方向に沿って延びた後、Ｚ方向に沿って付加的接触部５２から離れるように延び、その後、Ｘ方向に沿って付加的圧入部５６に向かって延びている。
【００３３】
付加的圧入部５６の夫々は、２つの付加的圧入突起５６４を有している。２つの付加的圧入突起５６４は、Ｘ方向における両方向に夫々突出している。付加的圧入部５６の夫々には、２つの付加的圧入突起５６４に夫々対応する２対の付加的凹部５６２が形成されている。各対における２つの付加的凹部５６２は、付加的圧入部５６のＹ方向における両側から、Ｙ方向において互いに向かって夫々凹んでおり、Ｙ方向において、対応する付加的圧入突起５６４を挟んでいる。換言すれば、付加的圧入突起５６４の夫々は、Ｙ方向において、対応する２つの付加的凹部５６２の間に位置している。また、付加的圧入突起５６４の夫々は、Ｘ方向において、付加的接触部５２の側面を越えて突出している。
【００３４】
図９を参照すると、本実施の形態によれば、付加的圧入部５６の夫々は、対応する付加的通過孔３８に圧入されており、これにより、付加的端子５０の夫々は、保持部材２０に保持され固定されている。詳しくは、付加的圧入突起５６４の夫々は、Ｘ方向に突出して、対応する付加的通過孔３８の内壁３８６に押し付けられており、これにより、付加的端子５０の保持部材２０からの抜け落ちが防止されている。
【００３５】
本実施の形態によれば、付加的端子５０の夫々における２つの付加的圧入突起５６４は、Ｘ方向において互いに反対側に突出して内壁３８６に部分的に食い込んでおり、これにより、付加的端子５０の夫々は、保持部材２０に確実に保持され固定されている。但し、本発明は、これに限られない。例えば、付加的圧入突起５６４の夫々は、内壁３８６に殆ど食い込むことなく、内壁３８６に押し付けられていてもよい。また、付加的圧入突起５６４の数及び配置は、本実施の形態に限られない。例えば、付加的端子５０の夫々は、付加的圧入突起５６４を１つのみ有していてもよい。
【００３６】
図１１を参照すると、本実施の形態によれば、付加的圧入突起５６４の夫々は、四角柱形状を有しており、付加的圧入部５６のＹ方向における中間部に位置している。但し、付加的圧入突起５６４の構造は、本実施の形態に限られず、様々に変形可能である。例えば、付加的圧入突起５６４の夫々の形状は、四角柱形状に限定されない。また、付加的圧入突起５６４の夫々は、付加的圧入部５６のＹ方向における一方側に偏っていてもよい。換言すれば、付加的圧入部５６には、付加的圧入突起５６４の夫々について、１つの付加的凹部５６２のみが形成されていてもよい。また、付加的圧入部５６には、付加的凹部５６２が形成されていなくてもよい。換言すれば、付加的圧入突起５６４の夫々のＹ方向におけるサイズは、付加的圧入部５６のＹ方向におけるサイズと同じであってもよい。但し、図９を参照すると、付加的圧入部５６を付加的通過孔３８に容易に圧入し、且つ、付加的通過孔３８によって確実に保持し固定するという観点から、本実施の形態が好ましい。
【００３７】
本実施の形態によれば、付加的圧入突起５６４の夫々は、付加的端子５０が並べられたＹ方向ではなく、Ｘ方向に突出している。仮に、付加的圧入突起５６４の夫々がＹ方向に突出している場合、Ｙ方向において互いに隣り合う２つの付加的端子５０の間の距離（ピッチ）を小さくすると、板状部２２のうち２つの付加的端子５０の間に位置する部位は、付加的圧入突起５６４から加わる力によって破損するおそれがある。一方、本実施の形態によれば、板状部２２の破損を防止しつつ、ピッチを小さくできる。但し、本発明はこれに限られず、付加的圧入突起５６４の夫々が突出する方向は、板状部２２の構造に応じて変形可能である。
【００３８】
図２を参照すると、本実施の形態によれば、付加的端子５０の延長部５８の夫々は、被取付状態において、対象物７０の内部に位置する。対象物７０の内部には、所定機器（図示せず）の回路基板７８が配置されている。延長部５８の夫々は、被取付状態において、回路基板７８に半田付け等によって接続され固定される。この結果、電源（図示せず）が生成する電力は、嵌合状態において、相手側コネクタ８０及びコネクタ１０を経由して所定機器に供給される。
【００３９】
図１１を参照すると、本実施の形態の付加的端子５０は、上述のように形成された付加的接触部５２、付加的圧入部５６及び延長部５８を有している。但し、本発明は、これに限られず、付加的端子５０の構造は、様々に変形可能である。
【００４０】
図１１及び図１２を参照すると、本実施の形態のアース端子４０は、曲げを有する単一の金属部材であり、接触部４２と、曲げ部４４と、被保持部４６とを有している。曲げ部４４は、接触部４２と被保持部４６との間に位置している。より具体的には、曲げ部４４は、Ｘ方向及びＺ方向によって規定される直交平面（ＸＺ平面）においてＬ字状に曲がっている。接触部４２は、曲げ部４４からＺ方向に沿って延びており、被保持部４６は、曲げ部４４からＸ方向に沿って延びている。即ち、本実施の形態によれば、接触部４２と被保持部４６とは、互いに直交するように直線状に延びている。但し、本発明は、これに限られない。例えば、接触部４２と被保持部４６とは、互いに斜交するように延びていてもよい。即ち、接触部４２と被保持部４６とは、互いに交差するように延びていればよい。
【００４１】
接触部４２は、接触端４２２と、境界部４２８とを有している。境界部４２８は、接触部４２と曲げ部４４との間の境界に位置している。接触端４２２は、接触部４２のＺ方向における先端であり、Ｚ方向において境界部４２８の反対側に位置している。即ち、接触部４２は、境界部４２８から接触端４２２までＺ方向に沿って延びている。図４を参照すると、接触部４２は、嵌合状態において、相手側コネクタ８０の相手側アース端子８４と接触する。
【００４２】
図１２及び図１３を参照すると、本実施の形態の被保持部４６は、連結部４７と、接続部４８と、２つの圧入突起４９とを有している。接続部４８は、ＸＹ平面において閉じた環形状を有している。接続部４８には、接続孔４８６が形成されている。接続孔４８６は、ＸＹ平面において円形状を有する孔であり、接続部４８をＺ方向に貫通している。連結部４７は、Ｘ方向において曲げ部４４と接続部４８とを互いに連結している。２つの圧入突起４９は、接続部４８に設けられており、接続部４８からＹ方向における両方向に夫々突出している。本実施の形態の被保持部４６は、上述の構造を有している。但し、本発明は、これに限られない。例えば、接続部４８の形状は、環形状に限定されない。また、被保持部４６は、連結部４７を有していなくてもよい。即ち、接続部４８は、連結部４７を介さずに曲げ部４４に直接的に繋がっていてもよい。
【００４３】
図８から図１０までを参照すると、本実施の形態の板状部２２には、受容部３４が形成されている。受容部３４は、連結溝３５と、開口部３６とを有している。即ち、板状部２２には、連結溝３５と、開口部３６とが形成されている。開口部３６は、Ｚ方向における両方向に開口した空間である。開口部３６は、ＸＹ平面において円形状を有しており、Ｘ方向において通過孔３２と異なる位置にある。連結溝３５は、板状部２２の被取付面２２Ｌに形成された凹みであり、Ｘ方向において通過孔３２と開口部３６とを互いに連結している。即ち、通過孔３２と開口部３６とは、連結溝３５を間に挟んでＸ方向に並んでいる。図１０を参照すると、受容部３４には、隔壁部３５２が設けられている。隔壁部３５２は、連結溝３５の底部である。
【００４４】
図７を参照すると、受容部３４は、アース端子４０の被保持部４６に対応している。詳しくは、受容部３４の開口部３６のＸＹ平面における形状は、被保持部４６の接続部４８のＸＹ平面における形状に対応しており、且つ、開口部３６のＸＹ平面におけるサイズは、接続部４８のＸＹ平面におけるサイズよりも大きい。加えて、受容部３４の連結溝３５のＸＹ平面における形状は、被保持部４６の連結部４７のＸＹ平面における形状に対応しており、且つ、連結溝３５のＸＹ平面におけるサイズは、連結部４７のＸＹ平面におけるサイズよりも大きい。
【００４５】
アース端子４０の被保持部４６は、保持部材２０の受容部３４に受容されている。詳しくは、被保持部４６の連結部４７及び接続部４８は、受容部３４の連結溝３５及び開口部３６に夫々受容されている。図４を参照すると、連結部４７は、隔壁部３５２と接触するか、又は、Ｚ方向において僅かな距離をあけて隔壁部３５２と対向している。
【００４６】
図６を参照すると、本実施の形態によれば、対象物７０のアース接続部７２には、アース接続孔７６が形成されている。アース接続孔７６は、ＸＹ平面において円形状を有する孔である。アース接続孔７６は、Ｚ方向に沿って延びており、取付面７２Ｕにおいて開口している。アース接続孔７６は、アース端子４０の接続孔４８６と対応している。より具体的には、保持部材２０の被挿入部２４を対象物７０の挿入孔７４に挿入すると、アース端子４０の接続孔４８６のＸＹ平面における中心は、アース接続孔７６のＸＹ平面における中心と一致する。
【００４７】
図４及び図５を参照すると、被取付状態において、アース端子４０の接続部４８は、接続孔４８６を通過させてアース接続孔７６に挿入したねじ６０によって、アース接続部７２に接続され固定される。この結果、被取付状態において、アース端子４０は、アース接続部７２に接地される。図４を参照すると、嵌合状態において、相手側コネクタ８０の相手側アース端子８４は、アース端子４０を介してアース接続部７２に接地される。
【００４８】
図１１から図１３までを参照すると、アース端子４０の接続部４８には、２つの圧入突起４９に夫々対応する２対の凹部４８２が形成されている。各対における２つの凹部４８２は、Ｚ方向における接続部４８の両側から、Ｚ方向において互いに向かって夫々凹んでおり、Ｚ方向において、対応する圧入突起４９を挟んでいる。換言すれば、圧入突起４９の夫々は、Ｚ方向において、対応する２つの凹部４８２の間に位置している。また、圧入突起４９の夫々は、Ｙ方向において、接続部４８の側面を越えて突出している。
【００４９】
図５及び図９を参照すると、接続部４８は、開口部３６に圧入されており、これにより、アース端子４０は、保持部材２０に保持され固定されている。詳しくは、圧入突起４９の夫々は、接続部４８からＹ方向に突出して開口部３６の内壁（保持部）３７に押し付けられており、これにより、アース端子４０の保持部材２０からの抜け落ちが防止されている。即ち、保持部材２０は、アース端子４０を保持し固定する保持部３７を有している。本実施の形態によれば、開口部３６の内壁３７が保持部３７として機能する。但し、本発明は、これに限られず、アース端子４０の保持部は、開口部３６の内壁３７以外の部位であってもよい。
【００５０】
上述したように、本実施の形態のアース端子４０は、圧入突起４９が設けられた被保持部４６を有しており、被保持部４６を保持部材２０の保持部３７に圧入することにより、保持部材２０に容易に保持及び固定できる。換言すれば、本実施の形態の保持部材２０は、アース端子４０を容易に保持及び固定できる。加えて、本実施の形態のアース端子４０は、金属部材をＬ字形状に曲げて圧入突起４９を形成するという比較的簡単な工程によって形成可能である。
【００５１】
図１１を参照すると、アース端子４０に、本実施の形態の被保持部４６と異なる被保持部を設けることも可能である。例えば、アース端子４０の接触部４２と曲げ部４４との間に、Ｚ方向に延びる被保持部を設けることも可能である。この場合、被保持部に、付加的端子５０の付加的圧入突起５６４と同様な圧入突起を設ければよい。しかしながら、図４を参照すると、この構造によれば、板状部２２に受容される被保持部及び曲げ部４４のＺ方向におけるサイズが大きくなる。即ち、板状部２２のＺ方向におけるサイズが大きくなり、これにより、コネクタ１０のＺ方向におけるサイズが大きくなる。
【００５２】
一方、図５及び図９を参照すると、本実施の形態によれば、圧入突起４９は、被保持部４６の接続部４８から突出しており、接続部４８は、Ｘ方向において接触部４２と異なる位置にある。この構造によれば、被保持部４６をＺ方向に長く延ばす必要がなく、これにより、保持部３７のＺ方向におけるサイズを小さくできる。図４を参照すると、この結果、対象物７０の内部におけるコネクタ１０の占有空間を減らしつつ、コネクタ１０の対象物７０からの突出量を抑制できる。即ち、本実施の形態によれば、アース端子４０をコネクタ１０の保持部材２０に容易に固定可能であり、且つ、コネクタ１０全体のサイズを小さくすると共に対象物７０からの突出量を抑制可能なコネクタ１０を提供できる。
【００５３】
図１３を参照すると、本実施の形態によれば、２つの圧入突起４９のＹ方向における先端の間の距離寸法ＤＰは、Ｙ方向における接続部４８のサイズＷＨよりも大きい。図５を参照すると、この構造により、２つの圧入突起４９は、Ｙ方向において互いに反対側に突出して内壁３７に部分的に食い込んでおり、これにより、アース端子４０は、保持部材２０に確実に保持され固定されている。但し、本発明は、これに限られない。例えば、圧入突起４９の夫々は、内壁３７に殆ど食い込むことなく、内壁３７に押し付けられていてもよい。また、圧入突起４９の数及び配置は、本実施の形態に限られない。例えば、アース端子４０は、圧入突起４９を１つのみ有していてもよい。
【００５４】
図９を参照すると、圧入突起４９が設けられた接続部４８は、Ｘ方向において、接触部４２と異なる位置にある。この配置により、圧入突起４９の夫々は、Ｙ方向に突出しているにも関わらず、付加的端子５０に向かって突出していない。
【００５５】
図９を図４と併せて参照すると、例えば、Ｙ方向に突出する２つの圧入突起４９を通過孔３２の内部に位置する部位（接触部４２又は曲げ部４４）に設けた場合、Ｙ方向において互いに隣り合うアース端子４０と付加的端子５０との間の距離（ピッチ）を小さくすると、板状部２２のうちアース端子４０と付加的端子５０との間に位置する部位は、圧入突起４９から加わる力によって破損するおそれがある。一方、本実施の形態によれば、接触部４２及び曲げ部４４のいずれにも圧入突起が設けられておらず、圧入突起４９は、接続部４８のみに設けられている。この構造によれば、板状部２２の破損を防止しつつ、ピッチを小さくできる。
【００５６】
図７を図１１及び図１２と併せて参照すると、本実施の形態によれば、圧入突起４９の夫々は、四角柱形状を有しており、これにより鋭利な下端（−Ｚ側の端）を有している。この構造により、保持部材２０に圧入されたアース端子４０は、保持部材２０から抜け難い。但し、圧入突起４９の夫々の形状は、鋭利な下端を有する四角柱形状に限定されず、様々に変形可能である。
【００５７】
図１１を参照すると、本実施の形態によれば、圧入突起４９の夫々は、接続部４８のＺ方向における中間部に位置している。但し、圧入突起４９の構造は、本実施の形態に限られず、様々に変形可能である。例えば、圧入突起４９の夫々は、接続部４８のＺ方向における一方側に偏っていてもよい。換言すれば、接続部４８には、圧入突起４９の夫々について、１つの凹部４８２のみが形成されていてもよい。また、接続部４８には、凹部４８２が形成されていなくてもよい。換言すれば、圧入突起４９の夫々のＺ方向におけるサイズは、接続部４８のＺ方向におけるサイズと同じであってもよい。但し、図７を参照すると、接続部４８を開口部３６に容易に圧入し、且つ、保持部３７によって確実に保持し固定するという観点から、本実施の形態が好ましい。
【００５８】
図１１及び図１２を参照すると、本実施の形態によれば、ＸＺ平面における曲げ部４４の内側は、部分的に切り欠かれており、これにより、薄板部４４２が形成されている。即ち、曲げ部４４は、薄板部４４２を有している。薄板部４４２は、接触部４２及び被保持部４６に比べて薄く形成されている。詳しくは、接触部４２、曲げ部４４及び被保持部４６をＸ方向に沿って直線状に延ばすと、薄板部４４２のＺ方向におけるサイズ（厚さ）は、接触部４２の厚さ及び被保持部４６の厚さよりも薄い。
【００５９】
図４を参照すると、本実施の形態によれば、薄板部４４２が設けられているため、アース端子４０は、接触部４２及び被保持部４６を厚くした場合でも、破損することなく容易に曲げることができる。加えて、隔壁部３５２のＸ方向におけるサイズを小さくすることなく連結溝３５を形成でき、これにより、板状部２２の破損を防止できる。但し、本発明は、これに限られず、薄板部４４２は、必要に応じて設ければよい。
【００６０】
図４から図６までを参照すると、本実施の形態のねじ６０は、頭部６２と、軸部６６とを有している。頭部６２は、ＸＹ平面において、開口部３６よりも大きな円形状を有しており、軸部６６は、ＸＹ平面において、開口部３６よりも小さな円形状を有している。軸部６６には、ネジが切られており、対象物７０のアース接続孔７６には、軸部６６のネジに対応するネジが切られている。図４及び図５を参照すると、この構造により、ねじ６０は、頭部６２とアース接続部７２との間に接続部４８を強固に挟み込むようにして、アース接続孔７６にネジ込むことができる。この結果、被取付状態において、接続部４８は、アース接続部７２に確実に接続され固定される。
【００６１】
図４及び図５を参照すると、本実施の形態によれば、接続部４８は、板状部２２の被取付面２２Ｌから開口部３６の外部に僅かに突出している。この構造によれば、コネクタ１０を取付面７２Ｕの上に安定的に位置させつつ、ねじ６０を使用して接続部４８を取付面７２Ｕに密着させることができ、これにより、アース端子４０をアース接続部７２に確実に接地できる。但し、本発明は、これに限られず、接続部４８は、開口部３６に完全に受容されていてもよい。
【００６２】
本実施の形態によれば、アース接続孔７６は、アース接続部７２をＺ方向に貫通している。また、被取付状態において、ねじ６０の軸部６６は、アース接続孔７６を通過して、対象物７０の内部に部分的に突出する。但し、本発明は、これに限られない。例えば、被取付状態において、軸部６６全体が接続孔４８６及びアース接続孔７６の内部に位置していてもよい。この場合、アース接続孔７６は、底のある穴であってもよい。また、接続部４８は、ねじ６０を使用することなく、半田付け等によってアース接続部７２に接続してもよい。ねじ６０を使用せずに接続部４８をアース接続部７２に接続する場合、接続孔４８６及びアース接続孔７６は、設けなくてもよい。
【００６３】
図３を参照すると、本実施の形態によれば、外壁部２６の正面部２６Ｆに開放部２６２が形成されている。この構造により、板状部２２の開口部３６（図４参照）を、Ｘ方向においてアース端子４０の接触部４２に近づけつつ、コネクタ１０を対象物７０にネジ止めできる。従って、板状部２２のＸ方向におけるサイズを小さくできる。但し、本発明は、これに限られず、開放部２６２は、必要に応じて設ければよい。
【００６４】
図２を参照すると、コネクタ１０は、既に説明した変形例に加えて、更に様々に変形可能である。例えば、板状部２２に、対象物７０に固定される被固定部を設けてもよい。また、相手側コネクタ８０は、対象物７０に固定される相手側被固定部を有していてもよい。嵌合状態において、相手側被固定部は、相手側コネクタ８０を対象物７０に固定すると共に、コネクタ１０の板状部２２を対象物７０に押し付けて固定してもよい。
【符号の説明】
【００６５】
１０            コネクタ
２０            保持部材
２２            板状部
２２Ｌ          被取付面
２２Ｕ          反対面
２４            被挿入部
２６            外壁部
２６Ｆ          正面部
２６Ｒ          裏面部
２６２          開放部
３２            通過孔
３４            受容部
３５            連結溝
３５２          隔壁部
３６            開口部
３７            内壁（保持部）
３８            付加的通過孔
３８６          内壁
４０            アース端子
４２            接触部
４２２          接触端
４２８          境界部
４４            曲げ部
４４２          薄板部
４６            被保持部
４７            連結部
４８            接続部
４８２          凹部
４８６          接続孔
４９            圧入突起
５０            付加的端子
５２            付加的接触部
５６            付加的圧入部
５６２          付加的凹部
５６４          付加的圧入突起
５８            延長部
６０            ねじ
６２            頭部
６６            軸部
７０            対象物
７２            アース接続部
７２Ｕ          取付面
７４            挿入孔
７６            アース接続孔
７８            回路基板
８０            相手側コネクタ
８２            相手側保持部材
８４            相手側アース端子
８６            相手側付加的端子
【図１】
2020113510.tif 000003
【図２】
2020113510.tif 000004
【図３】
2020113510.tif 000005
【図４】
2020113510.tif 000006
【図５】
2020113510.tif 000007
【図６】
2020113510.tif 000008
【図７】
2020113510.tif 000009
【図８】
2020113510.tif 000010
【図９】
2020113510.tif 000011
【図１０】
2020113510.tif 000012
【図１１】
2020113510.tif 000013
【図１２】
2020113510.tif 000014
【図１３】
2020113510.tif 000015
【図１４】
2020113510.tif 000016